(57)【特許請求の範囲】
【請求項１】
外槽と内槽とを具備し、前記内槽内に液体を導入して前記内槽の底部に連通させた導出口から液体を導出する一方、前記内槽の上部からオーバーフローさせた液体を前記外槽の下部から排出させるように構成し、前記内槽の上部に形成したオーバーフロー口と前記外槽との間に渡り部材を架設し、その渡り部材から前記外槽の内壁面に、オーバーフローした液体を案内させ、その内壁面に付着した結露をその液体で払拭させることにより、内部の視認性を向上させるようにしたことを特徴とするオーバーフロー槽。
【請求項２】
前記渡り部材の上面に、オーバーフローする液体を案内するためのガイド溝を形成したことを特徴とする請求項１に記載のオーバーフロー槽。
【請求項３】
前記渡り部材における外槽の内壁面と接する両側部に、オーバーフローする液体を案内するための上下方向のガイド側溝を形成したことを特徴とする請求項１または請求項２に記載のオーバーフロー槽。
【発明の詳細な説明】
【０００１】
【発明の属する技術分野】
本発明は例えば分析計にサンプル液を一定量供給するためのオーバーフロー槽の改良に関する。
【０００２】
【従来の技術】
分析計に対して常に一定流量のサンプル液を供給するために、例えば図８に示すようなオーバーフロー槽が用いられることが多い。この場合、有底の外槽ａの内部に内槽ｂを立設し、その外槽ａの底部に設けたサンプル取入口ｃから内槽ｂ内にサンプル液を導入し、その内槽ｂの底部に連通させた導出口ｄから分析計（図示省略）に送給する一方、内槽ｂの上部からサンプル液をオーバーフローさせ、外槽ａの下部に設けた排出口ｅから外部に排出させるように構成されていた。なお、ｆは排気口である。
【０００３】
【発明が解決しようとする課題】
しかるに、上述した従来のオーバーフロー槽では、周囲の温度よりもサンプル液の温度が高い場合、外槽ａの内壁面に結露ｇが発生し、槽内の視認性が低下してしまうことがあった。そこで、内槽ｂの上部にカット部（図示省略）を設け、オーバーフローするサンプル液を外槽ａの内壁面に向けて放出させることにより、結露ｇを払拭させるべく構成したオーバーフロー槽も提案されている。
【０００４】
ところが、そのようなカット部を形成したオーバーフロー槽においては、一次流量が多い場合には視認性の向上に効果があるが、一次流量が少ない場合には、サンプル液が外槽ａの内壁面まで到達せず、結露ｇを払拭できないことがあった。
【０００５】
本発明はこのような実情に鑑みてなされ、結露による内部の視認性の低下を確実に防ぐことのできるオーバーフロー槽を提供することを目的としている。
【０００６】
【課題を解決するための手段】
本発明は上述の課題を解決するための手段を以下のように構成している。
すなわち、請求項１に記載の発明では、外槽と内槽とを具備し、前記内槽内に液体を導入して前記内槽の底部に連通させた導出口から液体を導出する一方、前記内槽の上部からオーバーフローさせた液体を前記外槽の下部から排出させるように構成し、前記内槽の上部に形成したオーバーフロー口と前記外槽との間に渡り部材を架設し、その渡り部材から前記外槽の内壁面に、オーバーフローした液体を案内させ、その内壁面に付着した結露をその液体で払拭させることにより、内部の視認性を向上させるようにしたことを特徴としている。
【０００７】
オーバーフローするサンプル液等の液体は渡り部材を伝って必ず外槽の内壁面に案内され、オーバーフローの流量の多少にかかわらず、確実に結露を払拭することができる。
【０００８】
請求項２に記載の発明では、請求項１に記載の発明における前記渡り部材の上面に、オーバーフローする液体を案内するためのガイド溝を形成したことを特徴としている。
【０００９】
オーバーフローするサンプル液等の液体がガイド溝に案内されることにより、たとえ少量であっても途中で落下することがなく、より確実に外槽の内壁面に到達する。
【００１０】
請求項３に記載の発明では、請求項１または請求項２に記載の発明の渡り部材における外槽の内壁面と接する両側部に、オーバーフローする液体を案内するための上下方向のガイド側溝を形成したことを特徴としている。
【００１１】
ガイド側溝によって、内壁面まで到達したサンプル液等の液体が半ば強制的に内壁面上に案内・拡散されるため、より一層視認性が良好する。
【００１２】
【発明の実施の形態】
以下に本発明のオーバーフロー槽の実施形態を図面に基づいて詳細に説明する。
図１ないし図４は一実施形態を示し、これらの図において、符号１は有底で透視可能な素材よりなる外槽、２はその外槽１内に立設された透視可能な素材よりなる内槽、３は内槽２内にサンプル液を導入するためのサンプル取入口、４は内槽２の底部からサンプル液８を分析計（図示省略）に送給するためのサンプル導出口、５は内槽２の上部に形成されたカット部（オーバーフロー口）２１と外槽１の内壁面との間に架設した渡り部材、６は内槽２からオーバーフローさせたサンプル液を外部に排出させるための排出口、７は排気口である。なお、２２はサンプル取入口と連通する開口、２３はサンプル導出口４と連通する開口である。
【００１３】
上述の渡り部材５は、その上面にガイド溝５１が刻設されると共に、外槽１の内壁面１１と接する両側部に上下方向のガイド側溝５２，５２が形成されており、これにより、内槽２のカット部２１からオーバーフローするサンプル液８がたとえ少量であってもガイド溝２１によって確実に案内させ、外槽１の内壁面１１に到達させることができると共に、到達したサンプル液８をその両側のガイド側溝２２，２２から半ば強制的に内壁面１１に案内・拡散させることができる。
【００１４】
従って、その内壁面１１に付着している結露８１はサンプル液８によって確実に払拭され、そのサンプル液８が流下する領域１２（図４参照）では結露８１による曇りが取り除かれるため、その部分から内部を明確に確認することができる。
【００１５】
図５は異なる実施形態を示し、この場合、４つの渡り部材５を設け、四方向から内部の状態を確認できるようにしている。
【００１６】
図６は別の実施形態を示し、この場合、渡り部材５が内槽２の外周面と接する両側部にもガイド側溝５３，５３を形成し、内槽２の表面に結露による曇りが発生した場合にも、その結露をガイド側溝５３，５３から流下するサンプル液で払拭できるようにしている。
【００１７】
図７はさらに別の実施形態を示し、この場合、渡り部材５を外槽１の内壁面１１に向けてやや下方に傾斜させており、オーバーフローするサンプル液を内壁面１１によりスムーズに到達させることができる。
【００１８】
なお、本発明の別の実施形態として、透明な素材よりなる有底の容器内に仕切板を立設して、内部を２分し、その仕切板にオーバーフロー口を設け、一方の仕切区画（前記内槽に相当）内から他方の仕切区画（前記内槽と外槽の間のスペースに相当）へ内容液をオーバーフローさせるようにしてもよい。この場合も、そのオーバーフロー口から容器の内壁面に向けて渡り部材を架設することによって、前述と同様の効果を得ることができる。
【００１９】
【発明の効果】
以上説明したように、本発明のオーバーフロー槽によれば、内槽の上部に形成したオーバーフロー口と外槽の内壁面との間に渡り部材を架設したので、オーバーフローする液体は流量の多少にかかわらず渡り部材を伝って必ず外槽の内壁面に案内され、確実に結露を払拭することができ、内部の視認性が向上する。
【００２０】
その渡り部材の上面にガイド溝を形成すれば、たとえ液体が少量であっても途中で落下することがなく、より確実に外槽の内壁面に到達し、より一層視認性を向上させることができる。
【００２１】
また、その渡り部材における外槽の内壁面と接する両側部に上下方向のガイド側溝を形成することにより、内壁面まで到達した液体を半ば強制的に内壁面に案内・拡散させることができるため、さらに視認性が良好となる。
【図面の簡単な説明】
【図１】本発明のオーバーフロー槽の一実施形態を示す縦断面図である。
【図２】同横断面図である。
【図３】同透視斜視図である。
【図４】同要部拡大透視斜視図である。
【図５】同異なる実施形態を示す断面図である。
【図６】同別の実施形態を示す横断面図である。
【図７】同さらに別の実施形態を示す縦断面図である。
【図８】従来のオーバーフロー槽の一例を示す縦断面図である。
【符号の説明】
１…外槽、１１…内壁面、２…内槽、２１…カット部、４…導出口、５…渡り部材、５１…ガイド溝、５２…ガイド側溝、８…サンプル液、８１…結露。
【図１】
0003728064.tif 000002
【図２】
0003728064.tif 000003
【図３】
0003728064.tif 000004
【図４】
0003728064.tif 000005
【図５】
0003728064.tif 000006
【図６】
0003728064.tif 000007
【図７】
0003728064.tif 000008
【図８】
0003728064.tif 000009